(57)【要約】【課題】本発明の目的は、簡易な方法でヘリカルアンテナを基板に取り付けることができる通信機器を提供することである。【解決手段】本発明の携帯電話機１は、伸縮可能なコイルばねからなるヘリカルアンテナ１２と、ヘリカルアンテナ１２を収納するために空けられたアンテナ収納部９を有する回路基板８と、を有し、回路基板８には、ヘリカルアンテナ１２が電気的に結合される導通部材１４、及び、導通部材１４と高周波的に整合される調整用電子部品１０が実装されている。【選択図】図４
2010200050.tif 000002
【特許請求の範囲】
【請求項１】
伸縮可能なコイルばねからなるヘリカルアンテナと、
前記ヘリカルアンテナを収納するために空けられたアンテナ収納部を有する回路基板と、を有し、
前記回路基板には、前記ヘリカルアンテナが電気的に結合される導通部材、及び、前記導通部材と高周波的に整合される調整用電子部品が実装されている
通信機器。
【請求項２】
前記アンテナ収納部は、直方体形状の穴状に形成されている
請求項１に記載の通信機器。
【請求項３】
前記アンテナ収納部は、回路基板の端をコの字型に切欠いた形状に形成されている
請求項１に記載の通信機器。
【請求項４】
前記アンテナ収納部は、前記ヘリカルアンテナを長手方向に収縮した状態で収納する
請求項１〜３のいずれか１項に記載の通信機器。
【請求項５】
前記導通部材は、前記アンテナ収納部の長手方向の面である長手方向側壁面に配置されている
請求項１〜４のいずれか１項に記載の通信機器。
【請求項６】
前記アンテナ収納部は、前記長手方向側壁面に突起部を有しており、
前記突起部は、前記ヘリカルアンテナの中心に存在する空洞部分に挿入される
請求項１〜５のいずれか１に記載の通信機器。
【請求項７】
前記ヘリカルアンテナは、長手方向の両端に延長部をそれぞれ有し、
前記回路基板は、前記アンテナ収納部の長手方向の両方向位置にそれぞれ引掛部を有し、
前記延長部は、前記ヘリカルアンテナを伸長した状態で、前記引掛部に引っ掛けられる
請求項１〜３のいずれか１項に記載の通信機器。
【請求項８】
前記導通部材は、前記引掛部に配置されている
請求項１〜３、７のいずれか１項に記載の通信機器。
【請求項９】
前記アンテナ収納部の少なくとも一方の長手方向側壁面は回路基板の端の近傍まで及んでいる
請求項１〜８のいずれか１項に記載の通信機器。
【請求項１０】
前記回路基板は、第１の筐体部材と第２の筐体部材の間に配設されており、
前記ヘリカルアンテナは前記第１の筐体部材と前記第２の筐体部材によって位置固定されている
請求項１〜９のいずれか１項に記載の通信装置。
【請求項１１】
少なくとも、前記回路基板と前記第１の筐体部材との間、又は、前記回路基板と前記第２の筐体部材との間、のどちらかには弾性部材が配設されており、
前記弾性部材によって、前記ヘリカルアンテナは前記第１の筐体部材と前記第２の筐体部材間に位置固定されている
請求項１０に記載の通信装置。
【発明の詳細な説明】
【技術分野】
【０００１】
本発明は携帯電話機、携帯用テレビ、携帯用ラジオ、ＰＤＡ、携帯型ゲーム機等の通信機器に関する。
【背景技術】
【０００２】
現在のＰＤＡ及び携帯型ゲーム機は通信機能を有するものが多くなっており、これらも通信機器ということができる。
特許文献１には、低コストのヘリカルアンテナを基板に半田付けする技術が記載されている。
【先行技術文献】
【特許文献】
【０００３】
【特許文献１】特開２００４―０８０１０５号公報
【発明の概要】
【発明が解決しようとする課題】
【０００４】
しかしながら、この方法では基板の厚さにヘリカルアンテナの厚さが必要になってしまうという問題点がある。
また、この方法では半田付けを必要とするために、半田付けのための技術が必要となる。そして、半田付けが必要となるということは、時間的・金銭的なコストが増えてしまうという問題点があった。
【０００５】
本発明の目的は、簡易な方法でヘリカルアンテナを基板に取り付けることができる通信機器を提供することである。
【課題を解決するための手段】
【０００６】
本発明の通信機器は、伸縮可能なコイルばねからなるヘリカルアンテナと、前記ヘリカルアンテナを収納するために空けられたアンテナ収納部を有する回路基板と、を有し、前記回路基板には、前記ヘリカルアンテナが電気的に結合される導通部材、及び、前記導通部材と高周波的に整合される調整用電子部品が実装されている。
【０００７】
好適には、前記アンテナ収納部は、直方体形状の穴状に形成されている。
【０００８】
好適には、前記アンテナ収納部は、回路基板の端をコの字型に切欠いた形状に形成されている。
【０００９】
好適には、前記アンテナ収納部は、前記ヘリカルアンテナを前記長手方向に収縮した状態で収納する。
【００１０】
好適には、前記導通部材は、前記アンテナ収納部の長手方向の面である長手方向側壁面に配置されている。
【００１１】
好適には、前記アンテナ収納部は、前記長手方向側壁面に突起部を有しており、前記突起部は、前記ヘリカルアンテナ中心の空洞部分に挿入される。
【００１２】
好適には、前記ヘリカルアンテナは、長手方向の両端に延長部をそれぞれ有し、前記回路基板は、前記アンテナ収納部の長手方向の両方向位置にそれぞれ引掛部を有し、前記延長部は、前記ヘリカルアンテナを伸長した状態で、前記引掛部に引っ掛けられる。
【００１３】
好適には、前記導通部材は、前記引掛部に配置されている。
【００１４】
好適には、前記アンテナ収納部の少なくとも一方の長手方向側壁面は回路基板の端の近傍まで及んでいる。
【００１５】
好適には、前記回路基板は、第１の筐体部材と第２の筐体部材の間に配設されており、
前記ヘリカルアンテナは前記第１の筐体部材と前記第２の筐体部材によって位置固定されている。
【００１６】
好適には、少なくとも、前記回路基板と前記第１の筐体部材との間、又は、前記回路基板と前記第２の筐体部材との間、のどちらかには弾性部材が配設されており、
前記弾性部材によって、前記ヘリカルアンテナは前記第１の筐体部材と前記第２の筐体部材間に位置固定されている。
【発明の効果】
【００１７】
本発明によると、簡易な方法でヘリカルアンテナを基板に取り付けることができる通信機器を提供することができる。
【図面の簡単な説明】
【００１８】
【図１】本発明の実施形態に係る携帯電話機の外観を開状態で示す斜視図である。
【図２】本発明の実施形態に係るヘリカルアンテナの説明図である。
【図３】本発明の実施例に係る回路基板の説明図である。
【図４】回路基板のアンテナ収納部にヘリカルアンテナを収納した場合の説明図である。
【図５】変形例その１を説明するための説明図である。
【図６】図６は突起部の具体例である。
【図７】変形例その２におけるヘリカルアンテナの形状の説明図である。
【図８】変形例その２において、ヘリカルアンテナがアンテナ収納部に収納される様子を説明するための説明図である。
【図９】変形例その３における、圧縮コイルばね形式のヘリカルアンテナ用のアンテナ収納部の形状である。
【図１０】変形例その３における、引張コイルばね形式のヘリカルアンテナ用のアンテナ収納部の形状である。
【図１１】変形例その４の一例を説明する説明図である。
【図１２】変形例その４の一例を説明する説明図である。
【図１３】変形例その５を説明するために図４で示したＸＩＩＩ−ＸＩＩＩの断面の説明図である
【発明を実施するための形態】
【００１９】
図１は、本発明の実施形態に係る携帯電話機１の外観を開状態で示す斜視図である。
【００２０】
携帯電話機１は、いわゆる折り畳み式の携帯電話機１として構成されており、開状態と閉状態との間で互いに回動可能に連結された上部筐体２及び下部筐体３を有している。図１は、上部筐体２及び下部筐体３の開状態を示している。上部筐体２は、下部筐体３と対向する部分を構成する上部筐体フロントケース４と、下部筐体３とは反対側部分を構成する上部筐体リアケース５とを有している。下部筐体３は、上部筐体２と対向する部分を構成する下部筐体フロントケース６と、上部筐体２とは反対側部分を構成する下部筐体リアケース７とを有している。
【００２１】
上部筐体フロントケース４及び上部筐体リアケース５はネジ等により互いに固定され、上部筐体フロントケース４及び上部筐体リアケース５の間に形成された空間に種々の電子部材を収容する収容空間を構成する。下部筐体フロントケース６及び下部筐体リアケース７もネジ等により互いに固定され、下部筐体フロントケース６及び下部筐体リアケース７の間に形成された空間に後述する回路基板８等の種々の電子部材を収容する収容空間を構成する。
これらの上部筐体フロントケース４、上部筐体リアケース５、下部筐体フロントケース６及び下部筐体リアケース７は、例えば、樹脂により形成されている。
また、上部筐体フロントケース４には液晶パネル等から構成される表示部２０が配置されている。
【００２２】
図２は、本発明の実施形態に係るヘリカルアンテナ１２の説明図である。
【００２３】
図２（ａ）は、ヘリカルアンテナ１２の正面図である。
ヘリカルアンテナ１２は自然長Ｃとコイル平均径Ｂを有し、自然長Ｃの方がコイル平均径Ｂよりも大である。したがって、自然長Ｃの方向が長手方向となる。
ヘリカルアンテナ１２は、電気伝導性のある導線を螺旋（ヘリカル）状に巻いて構成され、圧縮コイルばねと同一の形状を有している。
導線は一定のピッチを持って巻かれており、導線はピッチ間隔Ａを有している。
本実施形態においては、後述するように、ヘリカルアンテナ１２を長手方向に圧縮してアンテナ収納部９に収納する必要があることから、導線とこれに隣接する導線との間である線間すきまＤを有する。
ヘリカルアンテナ１２が圧縮された時には、この線間すきまＤの距離が短くなり、ヘリカルアンテナ１２全体の長さが短くなる。
【００２４】
図２（ｂ）は、ヘリカルアンテナ１２の側面図である。
【００２５】
ヘリカルアンテナ１２は、図２（ｂ）のように円形状に巻かれる。ヘリカルアンテナ１２は中心の空洞部１３を有している。
【００２６】
ヘリカルアンテナ１２には高周波電流が流れるので金属材料によって構成される。さらに、ヘリカルアンテナ１２の通信感度をできるだけ上げるために、金属材料の中でも、電気抵抗率が低い金属を使用することが好ましい。
例えば、抵抗率が低く、コストも安いアルミニウムによってヘリカルアンテナ１２を構成する。また、場合によっては、形状記憶合金（チタンーニッケル合金）や、ステンレスによってヘリカルアンテナ１２を構成することもできる。
以上に記載したヘリカルアンテナ１２の材料の記載は、ヘリカルアンテナ１２の材料を限定する趣旨ではない。つまり、電気抵抗率が低く、かつ、弾性を有する材料であればどのような材料も使用可能である。
【００２７】
図３は、本発明の実施例に係る回路基板８の説明図である。
【００２８】
携帯電話機１は上部筐体２及び下部筐体３内部に配設されている回路基板８を有している。そして、上部筐体２に配設される回路基板８と下部筐体３に配設される回路基板８のうち、どちらかはヘリカルアンテナ１２を収納するためのアンテナ収納部９を有する。
アンテナ収納部９は、長手方向側壁面１９と短手方向側壁面２５を有し、ヘリカルアンテナ１２の形状に合わせた形状となっている。
つまりヘリカルアンテナ１２は、図２のように自然長Ｃ方向が長い構成となっているのであるから、そのヘリカルアンテナ１２を収納するアンテナ収納部９も一方方向が長い直方体の形状に穴が空けられている。
もっとも、ヘリカルアンテナ１２をアンテナ収納部９内に保持するために、ヘリカルアンテナ１２の自然長Ｃよりもアンテナ収納部９の長手方向側壁面１９間の距離Ｅの方を短く構成している。つまり、Ｃ＞Ｅとしている。
このように構成することによって、ヘリカルアンテナ１２は弾性力を有して、アンテナ収納部９の長手方向側壁面１９と接する。これによって、ヘリカルアンテナ１２と長手方向位置のアンテナ収納部９の長手方向側壁面１９との間に摩擦力が生じる。
この摩擦力によって、ヘリカルアンテナ１２はアンテナ収納部９内に保持されることとなる。
【００２９】
アンテナ収納部９の短手方向側壁面２５間の距離Ｆは、ヘリカルアンテナ１２を収納するためにコイル平均径Ｂよりも大きく構成している。つまり、Ｆ＞Ｂとしている。
また、回路基板８の厚さは、適宜変更可能である。ヘリカルアンテナ１２を固定可能な範囲であれば、Ｆよりも薄くてもよいし、逆に、回路基板８の厚さは短手方向側壁面２５間の距離Ｆと同一であってもよい。
【００３０】
アンテナ収納部９の長手方向側壁面１９間の距離Ｅは、携帯電話機１が使用する電波の波長の１／４の長さを有する。
例えば、携帯電話機１の場合には、その使用周波数は現在の処８００Ｍ〜２．２ＧＨｚである。そうすると、携帯電話機１が使用する電波の波長の１／４の長さとは、約９３ｍｍ〜３４ｍｍとなる。
このように、アンテナ収納部９の長手方向側壁面１９間の距離Ｅは、通信機器の使用する周波数に応じて変化するので、その必要性に応じてアンテナ収納部９の長手方向側壁面１９間の距離は適宜変更可能である。
また、アンテナ収納部９の長手方向側壁面１９間の距離Ｅは、通信機器の筐体の大きさや、スペースに応じて使用する電波の波長の１／４よりも長く構成してもよい（例えば、波長の１／２の長さ）。
【００３１】
ヘリカルアンテナ１２が接する長手方向側壁面１９の一方には、導通部材１４を配置する。
この導通部材１４は、ヘリカルアンテナ１２と導通するために導通処理がなされる。
導通処理とは、具体的には、リン青銅の表面に金メッキしたものが挙げられる。もっとも、これに限定する必要はなく、他のメッキ処理であってもよいし、メッキ処理せず単に導電性の材料を配置するだけでもよい。
なお、ヘリカルアンテナ１２は導線の一方のみと導通されていれば通信可能であるために、アンテナ収納部９の長手方向の側面の一方にのみ導通部材１４が配置されていればよい。
もっとも、導通処理を行わず、導通部材１４自体が導通可能な材料によって構成されているものであってもよい。
【００３２】
導通部材１４は、伝送線路１１を介して調整用電子部品１０と接続される。調整用電子部品１０は、ヘリカルアンテナ１と高周波回路との整合をとるために配置される。
調整用電子部品１０によって調整された高周波信号は、図示しないその他の電子回路によって処理され、利用される。
本発明はヘリカルアンテナ１２の取り付け構造にその特徴があるので、この先の処理、利用の方法については省略する。
調整用電子部品１０は、例えば、コイル（Ｌ）及びコンデンサ（Ｃ）から構成される。
【００３３】
図４は、回路基板８のアンテナ収納部９にヘリカルアンテナ１２を収納した場合の説明図である。
【００３４】
このように、回路基板８のアンテナ収納部９にヘリカルアンテナ１２を収納するような構成とすると、単に、アンテナ収納部９にヘリカルアンテナ１２を押し込むだけでヘリカルアンテナ１２を回路基板８に固定することができる。
【００３５】
また、このような構成とすると、ヘリカルアンテナ１２を回路基板８上の調整用電子部品１０と結合することも容易となる。
その理由を説明する。
回路基板８上の調整用電子部品１０は、アンテナ収納部９の長手方向側壁面１９に配置されている導通部材１４に電気的に結合されている。
そして、ヘリカルアンテナ１２を圧縮してアンテナ収納部９に挿入すると、ばね形状のヘリカルアンテナ１２は復元力によって導通部材１４に付勢力を有して接する。
そうすると、ヘリカルアンテナ１２と調整用電子部品１０は電気的に結合する。
つまり、単にヘリカルアンテナ１２を圧縮してアンテナ収納部９に挿入するだけで、ヘリカルアンテナ１２を調整用電子部品１０と電気的に結合することができる。
【００３６】
以上のことは、半田付け等の複雑な工程を省略することができることを意味する。その上、単に挿入するだけで、ヘリカルアンテナ１２を調整用電子部品１０と結合できるのであるから、きわめて簡便な方法でヘリカルアンテナ１２を組みつけられることも意味する。
これらの効果によって、製造時間の短縮・コストの削減を図ることができる。
【００３７】
また、このように構成することによって、薄型化・小型化が求められる携帯電話機１のような通信機器にも通信感度の高いヘリカルアンテナ１２を使用でき、通信感度を高めることができるという優れた効果がある。
つまり、ヘリカルアンテナ１２は通信感度が高いアンテナであるが、その反面、ヘリカル状に導線を巻く必要があるので多くの体積を必要とし、特に携帯電話機１のように小型化・薄型化が求められる通信機器への実装が困難であった。
しかし、本実施形態のように構成すれば、回路基板８内部にヘリカルアンテナ１２を配置することができるのであるから、ヘリカルアンテナ１２用に空間を用意する必要がなくなる。その結果、小型化・薄型化が求められる携帯電話機１のような通信機器にもヘリカルアンテナ１２を使用することができ、通信感度の良好な通信機器を作成できる。
【００３８】
＜変形例その１＞
以下に、上述した実施態様よりもさらに有利な変形例その１を記載する。
上述した実施形態では、長手方向側壁面１９（導通部材１４）は長手方向に対して垂直な平面形状にすぎなかった。
そして、ヘリカルアンテナ１２と長手方向側壁面１９（導通部材１４）との結合は、ヘリカルアンテナ１２の圧縮による弾性力が長手方向側壁面１９との間に生じさせる摩擦力のみであった。
【００３９】
しかし、この方法では、携帯電話機１の使用時に、摩擦力を超える力が作用した場合にヘリカルアンテナ１２がアンテナ収納部９から外れてしまうおそれがある。
また、ヘリカルアンテナ１２が外れるまではいかなくてもヘリカルアンテナ１２の位置がずれてしまい元に戻らないおそれがある。そして、ヘリカルアンテナ１２の位置が適切な位置にないと通信に悪影響が生じるおそれがある。
さらに、ヘリカルアンテナ１２の組立の際にも、単にヘリカルアンテナ１２をアンテナ収納部９に収納させるだけでは、一度収納しても僅かに位置がずれているだけで、ヘリカルアンテナ１２がアンテナ収納部９から飛び出してしまうおそれがある。
さらにまた、ヘリカルアンテナ１２自体の組み付け時には適切な位置に組み付けが行われたとしても、その他の部材の組み付け時等に、わずかな衝撃・変位があっただけで、ヘリカルアンテナ１２がアンテナ収納部９から飛び出してしまうおそれがある。
このことは、組み付け効率を大幅に低下させる。
そこで、以下の変形例その１が考えられる。
【００４０】
図５は、変形例その１を説明するための説明図である。
【００４１】
図５のように、アンテナ収納部９の長手方向側壁面１９は、単なる平面ではなく、長手方向側壁面中心に行くほど長手方向間の距離が短くなっている。換言すると、長手方向側壁面１９は円錐形状をしている。
そして、この長手方向側壁面１９の一方には導通部材１４が配置されている。
【００４２】
この円錐形状の突起部１５をヘリカルアンテナ１２の空洞部１３（図２（ｂ）参照）に貫通させて、ヘリカルアンテナ１２をアンテナ収納部９に収納する。
そうすると、ヘリカルアンテナ１２がアンテナ収納部９から外れるには、突起部１５に挿入された状態よりもさらに圧縮されて、突起部１５の両先端間の距離まで縮む必要がある。
通常の使用状況下及び制作時の状況下においては、それほどの外力がヘリカルアンテナ１２に加わることは想定できない。
したがって、アンテナ収納部９の長手方向側壁面１９に突起部１５を形成することによって、より確実に、ヘリカルアンテナ１２をアンテナ収納部９に保持することが可能となる。
つまり、通常の使用時及び制作時にヘリカルアンテナ１２が飛び出すこと及び位置がずれてしまうことがなくなる。
【００４３】
さらに、このようにアンテナ収納部９の長手方向側壁面１９に突起部１５を形成することによって、容易にヘリカルアンテナ１２をアンテナ収納部９に組み付けることが可能となる。
【００４４】
本変形例その１では、長手方向側壁面１９に突起部１５を形成することから、組立時には単にヘリカルアンテナ１２を突起形状の突起部１５に空洞部１３が挿入されるように組み付けるだけでヘリカルアンテナ１２を確実に固定することができる。
さらに、突起形状は円筒であることから、最初の組み付け時に多少位置がずれていても、突起の中心がヘリカルアンテナ１２の空洞部１３の中心に移動する。
したがって、組立時に精密な作業を必要としないという利点がある。
【００４５】
図６は突起形状の具体例である。
図５では、突起形状として台形形状（図６（ａ））を記載したが、この形状に限定されない。
例えば、さらに、突起部１５は先端に行くほど狭まっている必要もなく、単に直方体の突起形状（図６（ｂ））となっていてもよい。
さらに、３角錐（図６（ｃ））、４角錐、５角錐、６角錐、それ以上の形状であってもよい。
なお、突起部１５は中心が張り出している必要もない。つまり、Ｖ型断面となっており中心に行くほど狭まる凹み形状であって、縁部分が一番突起しているものをも含む。
凹みの形状は円錐、円錐台、角錐、角円台等の各種形状が含まれる。
【００４６】
＜変形例その２＞
上述した実施形態及び変形例その１では、ヘリカルアンテナ１２は圧縮コイルばね形状よって形成していたが、引張コイルばね形状によって形成することもできる。
以下、引張コイルばねによる変形例その２を記載する。
【００４７】
図７は、変形例その２におけるヘリカルアンテナ１２の形状の説明図である。
【００４８】
図７（ａ）は、無負荷の状態における引張コイルばね形状のヘリカルアンテナ１２の様子である。
図７（ｂ）は、回路基板８に引っかけた状態でのヘリカルアンテナ１２の状態を表したものである。
図７のように、変形例その２において、ヘリカルアンテナ１２は引張コイルばね形状を有する。
そして、ヘリカルアンテナ１２は、伸長方向（長手方向）に長くなっているアンテナ部１８と、アンテナ部１８の長手方向の両端に配置された延長部１７から形成されている。
延長部１７は後述する引掛部１６に引っかけるための部分であり、四角く形成されている。
【００４９】
図８は、変形例その２において、ヘリカルアンテナ１２がアンテナ収納部９に収納される様子を説明するための説明図である。
【００５０】
図８のように、回路基板８には延長部１７を引掛けるための引掛部１６が形成されている。この引掛部１６部分には、伝送線路１１を介して調整用電子部品１０と接合されている導通部材１４が配置されている。
引張コイルばね形状のヘリカルアンテナ１２は、延長部１７が引掛部１６に引掛けられた状態では、伸長されている。
これによって、ヘリカルアンテナ１２は引掛部１６の間に固定されることになる。
【００５１】
このように、構成することによって、より確実に、ヘリカルアンテナ１２をアンテナ収納部９に保持することが可能となる。
つまり、通常の使用時及び制作時にヘリカルアンテナ１２が飛び出すこと及び位置がずれてしまうことがなくなる。
【００５２】
また、本変形例その２では、ヘリカルアンテナ１２が引掛部１６の間に固定されることから、組立時には単にヘリカルアンテナ１２の延長部１７を引掛部１６に固定するだけでヘリカルアンテナ１２を強固に固定することができる。
これによって、組立時に精密な作業を必要としないという利点がある。
【００５３】
なお、図７、図８の延長部１７及び引掛部１６の形状は一例であり、ヘリカルアンテナ１２をアンテナ収納部９に保持できるものであればどのようなものであっても選択可能である。
例えば、延長部１７の形状を鉤形状とし、引掛部１６を長手方向の両側に１個ずつの溝形状としてもよい。
【００５４】
＜変形例その３＞
以上の実施例では、アンテナ収納部９は回路基板８の中心付近に形成されていたが、このような位置に形成しなければならない必然性はない。
そこで、回路基板８の縁の一部をコの字型に切欠いてアンテナ収納部９とすることもできる。
以下、この変形例その３について説明する。
【００５５】
図９は、変形例その３における、圧縮コイルばね形式のヘリカルアンテナ１２用のアンテナ収納部９の形状である。
なお、長手方向側壁面１９の形状は変形例その２で記載したように突起部１５を形成することも可能である。
【００５６】
図１０は、変形例その３における、引張コイルばね形式のヘリカルアンテナ１２用のアンテナ収納部９の形状である。
【００５７】
このように、アンテナ収納部９が回路基板８の縁部分に配置されていると、ヘリカルアンテナ１２を組み付けることが容易になる。
このように組みつけが容易になる理由を説明する。
図３のようにアンテナ収納部９が回路基板８の中央付近に穴状に形成されていると、ヘリカルアンテナ１２をアンテナ収納部９に組み付ける際には、回路基板８の表方向又は裏方向の一方方向からしかアプローチすることができない。
一方、図９のようにアンテナ収納部９が回路基板８の近縁の一部をコの字型に切欠いて形成されている場合には、ヘリカルアンテナ１２をアンテナ収納部９に組み付ける際には、回路基板８の表方向、裏方向及び側面方向の３方向からのアプローチが可能となる。
そして、このように複数の方向から同時にアプローチ可能ということは組み付けが極めて容易になるということを意味する。
【００５８】
＜変形例その４＞
変形例その３で記載したように、アンテナ収納部９は回路基板８上のどのような位置にも配置可能である。
もっとも、ヘリカルアンテナ１２はその長手方向に指向性を持っているので、その指向性を有している方向に金属材料が配置されていると、電波の伝達を阻害し、ヘリカルアンテナ１２の性能を害する。
したがって、ヘリカルアンテナ１２の長手方向には回路基板８上に配置される電気部品等を配置しないことが好ましい。
そこで、少なくともヘリカルアンテナ１２の長手方向の一方には電子部材を配置しない変形例その４を以下に記載する。
【００５９】
図１１は、変形例その４の一例を説明する説明図である。
【００６０】
図１１のように、アンテナ収納部９の長手方向の一方は回路基板８の縁の近傍まで及んでいる。
アンテナ収納部９が回路基板８の縁の近傍まで及んでいることから、少なくとも、回路基板８の縁の近傍側のアンテナ収納部９の長手方向には電気部品が配置される恐れがなくなる。
【００６１】
図１２は、変形例その４の一例を説明する説明図である。
【００６２】
図１２のように、アンテナ収納部９を回路基板８の端に配置すれば長手方向には電気部品が配置されることはないのであるから、より有利である。
そして、このように、アンテナ収納部９を回路基板８の端に配置することによって、金属材料から構成される電気部品が多く配置される回路基板８上にヘリカルアンテナ１２を配置しても通信感度の低下を抑えることができるという優れた効果がある。
【００６３】
なお、以上の実施形態、変形例その１、変形例その２、変形例その３及び変形例その４ではアンテナ収納部９は直線形状のみを記載してきたが、必ずしも直線形状である必要性はない。例えば、Ｌ字型に曲がっていてもよいし、カーブ形状であってもよい。
極端な場合には、回路基板８の周りをほぼ一周するような形状であってもよい。
【００６４】
＜変形例その５＞
より有利な変形例について記載する。
本発明の実施形態（図４参照）では、ヘリカルアンテナ１２に生じている弾性力によって発生する摩擦力のみによって、ヘリカルアンテナ１２は固定されていた。
しかし、この方法だけでは、ヘリカルアンテナ１２がアンテナ収納部９から外れてしまう虞がある。
また、変形例その１、変形例その２及び変形例その３であっても、大きな力が加わるとヘリカルアンテナ１２が外れる虞はある。また、外れないとしてもヘリカルアンテナ１２が振動することは通信感度を低下させる虞があるので好ましくない。
そこで、ヘリカルアンテナ１２を振動させない方法について変形例その５として以下記載する。
【００６５】
図１３は、変形例その５を説明するために図４で示したＸＩＩＩ−ＸＩＩＩの断面の説明図である。
【００６６】
図１３は、図４においてＸＩＩＩ−ＸＩＩＩ断面を取ったものであるが、単に断面を取ったのみではなく、第１の筐体部材２２と第２の筐体部材２３及び弾性部材２１を加えた断面図である。
図１３のように、ヘリカルアンテナ１２及び回路基板８はクッション材などの弾性部材２１を間に挟んで、第１の筐体部材２２及び第２の筐体部材２３によって挟み込まれている。
このように構成することによって、ヘリカルアンテナ１２の位置を確実に固定することができる。
図１３では本発明の実施形態のみに対してであったが、変形例その１、変形例その２及び変形例その３に対しても適用できる。
【００６７】
なお、第１の筐体部材２２は携帯電話機１の上部筐体フロントケース４又は下部筐体フロントケース６であってよい。また、第２の筐体部材２３は携帯電話機１の上部筐体リアケース５又は下部筐体リアケース７であってよい。
さらに、第１の筐体部材及び第２の筐体部材は、上部筐体フロントケース４、下部筐体フロントケース６、上部筐体リアケース５及び下部筐体リアケース７以外のものであっても筐体を形成する部材であればよい。
【００６８】
以上の実施形態、変形例その１、変形例その２、変形例その３及び変形例その４で記載したヘリカルアンテナ１２は端子が１つだけのものを記載してきた。しかし、このようなモノポールのものに限定する趣旨ではなく、ダイポールのヘリカルアンテナ１２とすることもできる。
そして、ダイポールのヘリカルアンテナ１２とした場合には、導通部材１４は長手方向側壁面１９の両面に配置されることになる。
【００６９】
以上の実施形態によれば、本発明の携帯電話機１は、伸縮可能なコイルばねからなるヘリカルアンテナ１２と、ヘリカルアンテナ１２を収納するために空けられたアンテナ収納部９を有する回路基板８と、を有している。
そして、回路基板８には、ヘリカルアンテナ１２が電気的に結合される導通部材１４、及び、導通部材１４と高周波的に整合される調整用電子部品１０が実装されている。
このように構成することによって、半田付け等の複雑な工程を省略することができる。
さらに、通信感度の高いヘリカルアンテナ１２を使用することができるので、通信感度を上げることができる。
【００７０】
また、アンテナ収納部９は、直方体形状の穴状に形成されている。
このように構成することによって、回路基板８外にヘリカルアンテナ１２を設置するための空間を設けなくてもよい。
そして、特別に空間を設けなくて済むということは、筐体内部に形成される空間の節約ともなり、筐体の小型化・薄型化が可能となる。
【００７１】
また、アンテナ収納部９は、回路基板８の端をコの字型に切欠いた形状に形成されている。
このように構成することによって、複数の方向から同時にアプローチ可能となる。複数方向から同時にアプローチ可能であるということは、組み付けが極めて容易となることを意味する。したがって、このような構成には、組み付けをきわめて容易にするという効果を有する。
【００７２】
また、アンテナ収納部９は、ヘリカルアンテナ１２を長手方向に収縮した状態で収納する。
このように構成することによって、単に挿入するだけで、ヘリカルアンテナ１２を調整用電子部品１０と結合できるのであるから、きわめて簡便な方法でヘリカルアンテナ１２を組みつけられる。そして、きわめて簡便な方法で組み付けられるということは、製造時間の短縮・コストの削減を意味する。したがって、このような構成には、製造時間の短縮・コストの削減という効果がある。
【００７３】
さらに、導通部材１４は、アンテナ収納部９の長手方向の面である長手方向側壁面１９に配置されている。
このように構成することによって、単にヘリカルアンテナ１２を圧縮してアンテナ収納部９に挿入するだけで、ヘリカルアンテナ１２を調整用電子部品１０と電気的に結合することができるという効果を有する。
【００７４】
さらに、アンテナ収納部９は、長手方向側壁面１９に突起部１５を有しており、突起部１５は、ヘリカルアンテナ１２中心の空洞部分に挿入される。
このように構成することによって、より確実に、ヘリカルアンテナ１２をアンテナ収納部９に保持することが可能となるという効果がある。
また、このように構成することによって、容易にヘリカルアンテナ１２をアンテナ収納部９に組み付けることが可能となるという効果がある。
【００７５】
さらに、ヘリカルアンテナ１２は、長手方向の両端に延長部１７をそれぞれ有し、前記回路基板８は、アンテナ収納部９の長手方向の両方向位置にそれぞれ引掛部１６を有し、延長部１７は、ヘリカルアンテナ１２を伸長した状態で、引掛部１６に引っ掛けられる。
このような構成によって、より確実にヘリカルアンテナ１２をアンテナ収納部９に保持することが可能となる。つまり、通常の使用時及び制作時にヘリカルアンテナ１２が飛び出すこと及び位置がずれてしまうことがなくなる。
また、このような構成によって、ヘリカルアンテナ１２が引掛部１６の間に固定されることから、組立時には単にヘリカルアンテナ１２の延長部１７を引掛部１６に固定するだけでヘリカルアンテナ１２を強固に固定することができる。さらに、組立時に精密な作業を必要としないという利点がある
【００７６】
さらにまた、導通部材１４は、引掛部１６に配置されている。
このような構成によって、単にヘリカルアンテナ１２の延長部１７を引掛部１６に引っかけるだけで、ヘリカルアンテナ１２を調整用電子部品１０と電気的に結合することができる。
【００７７】
さらにまた、アンテナ収納部９の少なくとも一方の長手方向側壁面１９は回路基板８の端の近傍まで及んでいる。
このような構成によって、金属材料から構成される電気部品が多く配置される回路基板８上にヘリカルアンテナ１２を配置しても通信感度の低下を抑えることができるという優れた効果がある。
【００７８】
さらにまた、回路基板８は、第１の筐体部材２２と第２の筐体部材２３の間に配設されており、ヘリカルアンテナ１２は第１の筐体部材２２と第２の筐体部材２３によって位置固定されている。
このような構成によって、ヘリカルアンテナ１２の位置固定を確実にすることができる。
【００７９】
さらにまた、少なくとも、回路基板８と前記第１の筐体部材２２との間、又は、回路基板８と第２の筐体部材２３との間、のどちらかには弾性部材２１が配設されている。
そして、弾性部材２１によって、ヘリカルアンテナ１２は第１の筐体部材２２と第２の筐体部材２３間に位置固定されている。
このような構成によって、ヘリカルアンテナ１２の位置固定を確実にすることができる。
【００８０】
なお、以上の実施形態において、携帯電話機１は本発明の通信機器の一例である。
また、通信機器は、携帯電話機１に限定されない。例えば、通信機器は、ＰＤＡ、携帯型ゲーム機、携帯用テレビ、携帯用ラジオ、ノートパソコン、ＰＤＡ、ゲーム機、カメラであってもよい。また、通信機器は、折り畳み式のものに限定されない。ケースが一体的に構成されたもの（１つのみのケース）であってもよい。
【００８１】
通信機器とは、双方向に情報の送受信を行える機器のみをいうわけではなく、単に情報を受信するだけ若しくは発信するだけの機器をも含む。
ヘリカルアンテナ１２を収納するために空けられたアンテナ収納部９は、実施例では反対側まで突き抜ける抜け穴形状のもののみを説明したが、これに限定されるものではなく、突き抜けてない溝形状のものをも含む。
【００８２】
本発明は、以上の実施形態に限定されず、種々の態様で実施されてよい。
【符号の説明】
【００８３】
１…携帯電話機、２…上部筐体、３…下部筐体、４…上部筐体フロントケース（第１の筐体部材）、５…上部筐体リアケース（第２の筐体部材）、６…下部筐体フロントケース（第１の筐体部材）、７…下部筐体リアケース（第２の筐体部材）、８…回路基板、９…アンテナ収納部、１０…調整用電子部品、１１…伝送線路、１２…ヘリカルアンテナ、１３…空洞部、１４…導通部材、１５…突起部、１６…引掛部、１７…延長部、１８…アンテナ部、１９…長手方向側壁面、２０…表示部、２１…弾性部材、２２…第１の筐体部材、２３…第２の筐体部材、２５…短手方向側壁面
【図１】
2010200050.tif 000003
【図２】
2010200050.tif 000004
【図３】
2010200050.tif 000005
【図４】
2010200050.tif 000006
【図５】
2010200050.tif 000007
【図６】
2010200050.tif 000008
【図７】
2010200050.tif 000009
【図８】
2010200050.tif 000010
【図９】
2010200050.tif 000011
【図１０】
2010200050.tif 000012
【図１１】
2010200050.tif 000013
【図１２】
2010200050.tif 000014
【図１３】
2010200050.tif 000015